(57)【要約】【課題】隣接妨害波のレベルが大きい場合においても、隣接妨害波の影響を効果的に低減することが可能な高周波受信機および隣接妨害波の低減方法を提供することを目的とする。【解決手段】本発明に係る高周波受信機は、希望チャネルの上下隣接チャネルにそれぞれ同調点を設定して、上下隣接チャネルの妨害波の受信レベルをそれぞれ検出した後、希望チャネルに同調点を設定して、希望波の受信ＣＮを検出し、希望波の受信ＣＮが第１閾値以上の場合は、希望チャネルの同調点を維持する一方、受信ＣＮが第１閾値以上でない場合には、上下隣接チャネルの妨害波の受信レベルに基づいて、希望チャネルの同調点を移動させる。【選択図】        図１
2006166367.tif 000002
【特許請求の範囲】
【請求項１】
入力される高周波信号を増幅して出力する高周波増幅器と、
前記高周波増幅器の出力に対して、所望の帯域を選択して出力するトラッキングフィルタと、
前記トラッキングフィルタの出力に対して周波数変換を行って、中間周波数信号を出力する周波数変換部と、
前記中間周波数信号をデコードするデコーダーと、
前記中間周波数信号に基づいて受信レベルを検出する受信レベル検出手段と、
前記デコーダーでデコードされた信号の雑音評価情報を検出する雑音評価情報検出手段と、
前記トラッキングフィルタの同調点を設定する同調点設定手段と、
を備え、
（Ａ）前記同調点設定手段は、希望チャネルの上下隣接チャネルにそれぞれ同調点を設定し、前記受信レベル検出手段は、上下隣接チャネルの妨害波の受信レベルをそれぞれ検出し、
（Ｂ）前記同調点設定手段は、希望チャネルに同調点を設定し、前記雑音評価情報検出手段は、希望波の雑音評価情報を検出し、
（Ｃ）前記同調点設定手段は、前記希望波の雑音評価情報が第１閾値以上の場合には、希望チャネルの同調点を維持する一方、前記雑音評価情報が前記第１閾値以上でない場合には、上下隣接チャネルの妨害波の受信レベルに基づいて、前記希望チャネルの同調点を移動させる同調点移動処理を行うことを特徴とする高周波受信機。
【請求項２】
前記同調点設定手段は、前記同調点移動処理では、上隣接チャネルの妨害波の受信レベルと、下隣接チャネルの妨害波の受信レベルとを比較して、上隣接チャネルの妨害波の受信レベルが大きい場合には、下隣接チャネル側へ前記希望チャネルの同調点を移動させる一方、下隣接チャネルの妨害波の受信レベルが大きい場合には、上隣接チャネル側へ前記同調点を移動させることを特徴とする請求項１に記載の高周波受信機。
【請求項３】
さらに、希望波の受信レベルに基づいて、前記高周波増幅器のゲインを制御するＡＧＣ制御手段を備え、
前記ＡＧＣ制御手段は、前記雑音評価情報が前記第１閾値以上でない場合に、希望波の受信レベルが第２閾値以上であるか否かを判断し、希望波の受信レベルが前記第２閾値以上である場合には、前記高周波増幅器のゲインを下げるＡＧＣ処理を実行し、
前記同調点制御手段は、前記ＡＧＣ処理後の前記雑音評価情報が第１閾値以上でない場合に、前記同調点移動処理を行うことを特徴とする請求項１または請求項２に記載の高周波受信機。
【請求項４】
前記高周波信号は、地上波デジタルテレビジョン信号であり、前記雑音評価情報は、受信ＣＮであることを特徴とする請求項１〜請求項３のいずれか１つに記載の高周波受信機。
【請求項５】
入力される高周波信号を高周波増幅器で増幅して出力する増幅工程と、
前記高周波増幅器の出力に対して、トラッキングフィルタで所望の帯域を選択して出力するトラッキング工程と、
前記トラッキングフィルタの出力に対して、周波数変換部で周波数変換を行って、中間周波数信号を出力する周波数変換工程と、
前記中間周波数信号をデコードするデコード工程と、
希望チャネルの上下隣接チャネルにそれぞれ同調点を設定して、上下隣接チャネルの妨害波の受信レベルをそれぞれ検出する隣接妨害波受信レベル検出工程と、
希望チャネルに同調点を設定して、希望波の雑音評価情報を検出する雑音評価情報検出工程と、
前記希望波の雑音評価情報が第１閾値以上でない場合に、上下隣接チャネルの妨害波の受信レベルに基づいて、前記希望チャネルの同調点を移動させる同調点移動工程と、
を含むことを特徴とする隣接妨害波の低減方法。
【請求項６】
前記同調点移動工程では、上隣接チャネルの妨害波の受信レベルと、下隣接チャネルの妨害波の受信レベルとを比較して、上隣接チャネルの妨害波の受信レベルが大きい場合には、下隣接チャネル側へ前記希望チャネルの同調点を移動させる一方、下隣接チャネルの妨害波の受信レベルが大きい場合には、上隣接チャネル側へ前記同調点を移動させることを特徴とする請求項５に記載の隣接妨害波の低減方法。
【請求項７】
さらに、前記希望波の雑音評価情報が前記第１閾値以上の場合に、希望波の受信レベルが第２閾値以上であるか否かを判断し、希望波の受信レベルが第２閾値以上である場合に、前記高周波増幅器のゲインを下げるＡＧＣ処理工程を含み、
前記同調点移動工程は、前記ＡＧＣ処理工程後の前記希望波の雑音評価情報が前記第１閾値以上でない場合に実行することを特徴とする隣接妨害波の低減方法。
【請求項８】
前記高周波信号は、地上波デジタルテレビジョン信号であり、前記雑音評価情報は、ＣＮ比であることを特徴とする請求項５〜請求項７のいずれか１つに記載の隣接妨害波の低減方法。
【発明の詳細な説明】
【技術分野】
【０００１】
本発明は、高周波受信機および隣接妨害波の低減方法に関し、詳細には、隣接妨害波を低減することが可能な高周波受信機および隣接妨害波の低減方法に関する。
【背景技術】
【０００２】
地上波デジタルテレビ放送の受信等に使用される高周波受信機においては、希望波のチャネルの両側に存在する隣接チャネルによる妨害波（以下、「隣接妨害波」ともいう）により希望波の感度が低下する現象がある。具体的には、この隣接妨害波のため、希望波の信号の受信ＣＮが劣化することにより感度が劣化する場合や希望波の信号が歪むことにより感度が劣化する場合がある。
【０００３】
この隣接妨害波を低減する方法として、例えば、特許文献１が提案されている。図６は、隣接妨害波の低減方法の従来技術を説明するための図である。従来の高周波受信機では、ＲＦアンプ部、または、１ｓｔミキサー部において、ＡＧＣ処理を行うことにより、隣接妨害波の歪みを少なくして、希望波の帯域内への隣接妨害波の混入を防止している。具体的には、図６に示すように、ＲＦアンプ部のゲインを下げることにより、隣接妨害波のレベルを下げて隣接妨害波を抑圧している。
【０００４】
【特許文献１】特開２００４−６４２５８号公報
【発明の開示】
【発明が解決しようとする課題】
【０００５】
しかしながら、上記従来技術の方法では、隣接妨害波のレベルとともに、希望波の受信レベルが下がってしまうため、希望波の受信レベルが受信感度レベル以下とならない点までしか隣接妨害波を抑圧することができず、隣接妨害波のレベルが大きい場合には、効果的に隣接妨害波を低減することができないという問題がある。
【０００６】
本発明は、上記に鑑みてなされたものであり、隣接妨害波のレベルが大きい場合においても、隣接妨害波の影響を効果的に低減することが可能な高周波受信機および隣接妨害波の低減方法を提供することを目的とする。
【課題を解決するための手段】
【０００７】
上述した課題を解決し、目的を達成するために、本発明は、入力される高周波信号を増幅して出力する高周波増幅器と、前記高周波増幅器の出力に対して、所望の帯域を選択して出力するトラッキングフィルタと、前記トラッキングフィルタの出力に対して周波数変換を行って、中間周波数信号を出力する周波数変換部と、前記中間周波数信号をデコードするデコーダーと、前記中間周波数信号に基づいて受信レベルを検出する受信レベル検出手段と、前記デコーダーでデコードされた信号の雑音評価情報を検出する雑音評価情報検出手段と、前記トラッキングフィルタの同調点を設定する同調点設定手段と、を備え、（Ａ）前記同調点設定手段は、希望チャネルの上下隣接チャネルにそれぞれ同調点を設定し、前記受信レベル検出手段は、上下隣接チャネルの妨害波の受信レベルをそれぞれ検出し、（Ｂ）前記同調点設定手段は、希望チャネルに同調点を設定し、前記雑音評価情報検出手段は、希望波の雑音評価情報を検出し、（Ｃ）前記同調点設定手段は、前記希望波の雑音評価情報が第１閾値以上の場合には、希望チャネルの同調点を維持する一方、前記雑音評価情報が前記第１閾値以上でない場合には、上下隣接チャネルの妨害波の受信レベルに基づいて、前記希望チャネルの同調点を移動させる同調点移動処理を行うことを特徴とする。
【０００８】
また、本発明は、入力される高周波信号を高周波増幅器で増幅して出力する増幅工程と、前記高周波増幅器の出力に対して、トラッキングフィルタで所望の帯域を選択して出力するトラッキング工程と、前記トラッキングフィルタの出力に対して、周波数変換部で周波数変換を行って、中間周波数信号を出力する周波数変換工程と、前記中間周波数信号をデコードするデコード工程と、希望チャネルの上下隣接チャネルにそれぞれ同調点を設定して、上下隣接チャネルの妨害波の受信レベルをそれぞれ検出する隣接妨害波受信レベル検出工程と、希望チャネルに同調点を設定して、希望波の雑音評価情報を検出する雑音評価情報検出工程と、前記希望波の雑音評価情報が第１閾値以上でない場合に、上下隣接チャネルの妨害波の受信レベルに基づいて、前記希望チャネルの同調点を移動させる同調点移動工程と、を含むことを特徴とする。
【発明を実施するための最良の形態】
【０００９】
以下に添付図面を参照して、この発明に係る高周波受信機および隣接妨害波の低減方法に最良な実施の形態を詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。
【００１０】
図１は、本発明の一実施例に係る高周波受信機１の構成を示す図である。図１に示す高周波受信機１は、特に、地上波デジタルテレビジョン放送を受信するデジタル放送受信機を示している。
【００１１】
高周波受信機１は、図１に示すように、アンテナ１０と、高周波増幅部２０と、トラッキングフィルタ部３０と、周波数変換部４０と、第１のＩＦ増幅部５０と、ＩＦフィルタ部６０と、第２のＩＦ増幅部７０と、デコーダー８０と、制御部９０とを備えている。
【００１２】
高周波増幅部２０は、アンテナ１０を介して入力されるＲＦ信号（高周波信号）を増幅して出力する。トラッキングフィルタ３０は、高周波増幅部２０から入力される信号の所望の帯域を選択して出力する。周波数変換部４０は、局部発振信号を出力する局部発振部４１と、トラッキングフィルタ３０から入力される信号と局部発振部４１から入力される局部発振信号とを混合してＩＦ信号（中間周波数信号）を出力するミクサ部４２とを備えている。
【００１３】
第１のＩＦ増幅部５０は、ミクサ部４２から入力されるＩＦ信号を増幅して出力する。
ＩＦフィルタ部６０は、第１のＩＦ増幅部５０から入力されるＩＦ信号の帯域を制限して出力する。第２のＩＦ増幅部７０は、ＩＦフィルタ部６０から入力されるＩＦ信号を増幅して出力する。デコーダー８０は、第２のＩＦ増幅部７０から入力される信号を復調してデジタル信号を出力する。また、デコーダー８０は、復調したデジタル信号の受信ＣＮを検出して、制御部９０に出力する雑音評価情報検出手段として機能する。
【００１４】
制御部９０は、記憶部９２に格納されたプログラムを実行して、高周波受信機１の動作を制御するマイクロプロセッサ９１と、プログラムやデータを格納する記憶部９２と、Ａ／Ｄ変換部９３と、Ｄ／Ａ変換部９４，９５とを備えている。Ａ／Ｄ変換部９３は、周波数変換部４０から入力されるＩＦ信号をＡ／Ｄ変換して、ＩＦ信号の受信レベルをマイクロプロセッサ９１に出力する。Ｄ／Ａ変換部９４，９５は、マイクロプロセッサ９１の出力をＤ／Ａ変換してトラッキングフィルタ３０、周波数変換部４０にそれぞれ出力する。
【００１５】
制御部９０は、トラッキングフィルタ３０の同調周波数（同調点）を設定してトラッキングの設定、および周波数変換部４０の同調周波数（同調点）を設定して受信チャネルの設定を行う同調点設定手段として機能する。また、制御部９０は、ＩＦ信号の受信レベルを検出する受信レベル検出手段として機能する。さらに、制御部９０は、ＩＦ信号の受信レベルに基づいて、高周波増幅部２０のゲインを制御するＡＧＣ処理を実行するＡＧＣ制御手段として機能する。トラッキングフィルタ３０，周波数変換部４０、および制御部９０は、ＡＧＣループを構成する。
【００１６】
上記構成の高周波受信器１の受信動作の概略を説明する。アンテナ１０から入力されるＲＦ信号は、高周波増幅部２０で増幅された後、トラッキングフィルタ３０よりに希望の帯域が選択され、ミクサ部４２に入力される。ミクサ部４２では、局部発振部４１から出力される局部発信信号と受信信号が混合されて、中間周波数信号（ＩＦ信号）が出力される。
【００１７】
ミクサ部４２から出力されるＩＦ信号は、第１のＩＦ増幅部５０と制御部９０に入力される。制御部４２では、Ａ／Ｄ変換部９３は入力されるＩＦ信号をＡ／Ｄ変換してＩＦ信号の受信レベルをマイクロプロセッサ９１に出力し、マイクロプロセッサ９１は、ＩＦ信号の受信レベルを記憶部９２に記憶する。また、ミクサ部４２から出力されたＩＦ信号は、第１のＩＦ増幅部５０で増幅された後、ＩＦフィルタ部６０で帯域制限され、さらに、第２のＩＦ増幅部７０で増幅される。第２のＩＦ増幅部７０で増幅されたＩＦ信号は、デコーダー８０でデジタル信号に復調されて出力される。また、デコーダー８０はデジタル信号の受信ＣＮを制御部９０に出力する。制御部９０では、マイクロプロセッサ９１は入力される受信ＣＮを記憶部９２に記憶する。
【００１８】
この受信動作の際、トラッキングフィルタ３０および周波数変換部４０の同調周波数は、制御部９０から出力される同調電圧によって変化し、受信するチャネルの周波数帯域で同調するようになっている。また、高周波増幅器２０のゲインは、制御部９０によってコントロールされている。
【００１９】
図２は、図１の高周波受信機１の隣接妨害の低減方法を説明するためのフローチャートである。図２において、制御部９０は、受信が開始されると、まず、希望波チャネル（Ｔａｒｇｅｔ＿ｃｈ）の上下隣接チャネル（Ｈ＿ｃｈ、Ｌ＿ｃｈ）へ同調し、上下隣接チャネル（Ｈ＿ｃｈ、Ｌ＿ｃｈ）の受信レベルを記憶部９２に格納する（ステップＳ１）。これは、現時点の上隣接チャネル（Ｈ＿ｃｈ）および下隣接チャネル（Ｌ＿ｃｈ）でいずれの妨害波が強いのかを判断するためである。具体的には、制御部９０は、まず、トラッキングフィルタ３０および周波数変換部４０に、上隣接チャネル（Ｈ＿ｃｈ）の同調周波数を設定し、この場合に周波数変換部４０から出力されるＩＦ信号をＡ／Ｄ部９３でＡ／Ｄ変換して上隣接チャネル（Ｈ＿ｃｈ）の受信レベルを測定し、その結果を記憶部９２に格納する。つぎに、制御部９０は、トラッキングフィルタ３０および周波数変換部４０に、下隣接チャネル（Ｌ＿ｃｈ）の同調周波数を設定し、この場合に周波数変換部４０から出力されるＩＦ信号をＡ／Ｄ部９３でＡ／Ｄ変換して下隣接チャネル（Ｌ＿ｃｈ）の受信レベルを測定し、その結果を記憶部９２に格納する。
【００２０】
つぎに、制御部９０は、トラッキングフィルタ３０および周波数変換部４０に、希望波チャネルの同調周波数を設定し、デコーダー８０から希望波の受信ＣＮを取得して記憶部９２に格納する（ステップＳ２）。制御部９０は、受信ＣＮが閾値Ｎ１以上であるか否かを判断する（ステップＳ３）。この判断の結果、制御部９０は、受信ＣＮが閾値Ｎ１以上である場合（ステップＳ３の「Ｙｅｓ」）、すなわち、受信状況が良好な場合には、そのまま受信状態（同調点）を保持する。他方、制御部９０は、受信ＣＮが閾値Ｎ１以上でない場合（ステップＳ３の「Ｎｏ」）、すなわち、受信状況が良好でない場合には、希望波チャネル（Ｔａｒｇｅｔ＿ｃｈ）の受信レベルが閾値Ｎ２以上であるか否かを判断する（ステップＳ４）。この判断の結果、制御部９０は、希望波チャネル（Ｔａｒｇｅｔ＿ｃｈ）の受信レベルが閾値Ｎ２以上でない場合（ステップＳ３の「Ｎｏ」）、すなわち、受信レベルが不十分である場合には、高周波増幅器５０のゲインを上げて、受信レベルを向上させるためのＡＧＣ処理を行って（ステップＳ５）、ステップＳ３に戻る。
【００２１】
他方、制御部９０は、希望波チャネル（Ｔａｒｇｅｔ＿ｃｈ）の受信レベルが閾値Ｎ２以上である場合には（ステップＳ４の「Ｙｅｓ」）、隣接妨害波による隣接妨害の影響が考えられるため、高周波増幅器２０のゲインを下げて、受信レベルを下げるためのＡＧＣ処理を行う（ステップＳ５）。これにより、隣接妨害波のレベルを下げ、隣接妨害波が受信帯域内に浸入するのを防止する。この場合、受信レベルが受信感度レベル（例えば、地上波デジタルテレビジョン信号の場合は３４ｄＢμＶ）以下とならない点までゲインを下げることができる。
【００２２】
この後、制御部９０は、デコーダー８０から受信ＣＮを取得し、受信ＣＮが閾値Ｎ１以上であるか否かを判断する（ステップＳ６）。制御部９０は、受信ＣＮが閾値Ｎ１以上である場合（ステップＳ７の「Ｙｅｓ」）、すなわち、受信状況が良好な場合には、そのまま受信状態（同調点）を保持する一方、受信ＣＮが閾値Ｎ１以上でない場合には（ステップＳ７の「Ｎｏ」）、すなわち、受信状況が良好でない場合には、後述する同調点移動処理（ステップＳ８〜Ｓ１２）を行って、隣接妨害波を低減する。
【００２３】
具体的には、制御部９０は、記憶部９２に格納した上下隣接チャネル（Ｈ＿ｃｈ、Ｌ＿ｃｈ）の受信レベルを読み込んで、下隣接チャネル（Ｌ＿ｃｈ）の受信レベル＜上隣接チャネル（Ｈ＿ｃｈ）の受信レベルであるか否かを判断する（ステップＳ８）。この判断の結果、制御部９０は、下隣接チャネル（Ｌ＿ｃｈ）の受信レベル＜上隣接チャネル（Ｈ＿ｃｈ）の受信レベルである場合には（ステップＳ８の「Ｙｅｓ」）、希望波チャネルの同調点を所定量、下隣接チャネル側（Ｌ＿ｃｈ）へ移動する（ステップＳ９）。ここでの移動量は、希望波チャネルの受信レベルが下がらない程度の量となる。他方、制御部９０は、下隣接チャネル（Ｌ＿ｃｈ）の受信レベル＜上隣接チャネル（Ｈ＿ｃｈ）の受信レベルでない場合には（ステップＳ８の「Ｎｏ」）、希望波チャネルの同調点を所定量、上隣接チャネル側（Ｈ＿ｃｈ）へ移動する（ステップＳ１０）。ここでの移動量は、希望波チャネルの受信レベルが下がらない程度の量となる。
【００２４】
同調点移動後、制御部９０は、受信ＣＮを取得し、受信ＣＮ値が閾値Ｎ１以上であるか否かを判断し（ステップＳ１０）、受信ＣＮが閾値Ｎ１以上である場合（ステップＳ１０の「Ｙｅｓ」）、すなわち、受信状況が良好な場合には、そのまま受信状態（同調点）を保持する。他方、制御部９０は、受信ＣＮ値が閾値Ｎ１以上でない場合（ステップＳ１０の「Ｎｏ」）、すなわち、受信状況が良好でない場合には、同調点が移動限界点（希望波レベルに影響がでない点）か否かを判断し（ステップＳ１１）、移動限界点でない場合には（ステップＳ１１の「Ｙｅｓ」）、ステップＳ８に戻り、移動限界点になるまで同様の処理を行う。他方、移動限界点である場合には（ステップＳ１１の「Ｙｅｓ」）、ステップＳ１に戻り、上下隣接チャネル（Ｈ＿ｃｈ、Ｌ＿ｃｈ）の受信レベルの測定を行う。
【００２５】
つぎに、上記同調点移動処理（ステップＳ８〜Ｓ１２）を図３〜図５を参照して具体的に説明する。図３〜図５は同調点移動処理を説明するための説明図である。図３および図４において、同調時のトラッキングフィルタ３０のフィルタ特性は、Ａに示すように、希望波を中心に左右の妨害波を均等に抑圧している。同調点を移動させて、フィルタ特性を図３および図４のＢのように左右に移動させると、希望波レベルはそれ程変化はないが、隣接妨害波の抑圧量は大きく増加する。これにより、希望波に影響を与えることなく、隣接妨害波を抑圧することができ、基地局付近で予想される隣接妨害波による受信品質の悪化を抑えることができる。
【００２６】
同調点は、図３に示すように、上隣接妨害波が下隣接妨害波より大きい場合は、下隣接チャネル側に移動させ（上記ステップＳ９）、図４に示すように、下隣接妨害波が上隣接妨害波より大きい場合は、上隣接チャネル側に移動させる（上記ステップＳ１０）。これにより、隣接妨害波の高い側を効率的に抑圧することが可能となる。
【００２７】
本実施の形態では、同調点移動処理（ステップＳ８〜Ｓ１２）を、高周波増幅器２０のゲインを受信感度レベルとなるまで下げても受信ＣＮが第１の閾値以上にならない場合に行うこととしているので（上記ステップＳ６、Ｓ７）、図５に示すように、高周波増幅器２０のゲインを受信感度レベルとなるまで下げても隣接妨害波を抑圧することができない場合においても（Ａ→Ｂ）、同調点を移動させることにより（Ｂ→Ｃ）、希望波レベルに影響を与えることなく、隣接妨害波の抑圧量を増加させることができる。
【００２８】
なお、本実施の形態においては、ＡＧＣ処理の実行後に、同調点移動処理を行うこととしたが、ＡＧＣ処理を実行しないで、同調点移動処理だけでも本発明の課題を解決することができる。したがって、上記ステップＳ３〜Ｓ６の処理は省略することにしても良い。
もっとも、ＡＧＣ処理後に、同調点移動処理を行うことにより、より効果的に隣接妨害波を抑圧することができるので、ＡＧＣ処理を行う方がより好ましい。
【００２９】
以上説明したように、本実施の形態によれば、希望チャネルの上下隣接チャネルにそれぞれ同調点を設定して、上下隣接チャネルの妨害波の受信レベルをそれぞれ検出した後、希望チャネルに同調点を設定して、希望波の受信ＣＮを検出し、希望波の受信ＣＮが第１閾値以上の場合は、希望チャネルの同調点を維持する一方、受信ＣＮが第１閾値以上でない場合には、上下隣接チャネルの妨害波の受信レベルに基づいて、希望チャネルの同調点を移動させる同調点移動処理を行うこととしたので、隣接妨害波のレベルが大きい場合においても、効果的に隣接妨害波を低減することができる。
【００３０】
また、本実施の形態によれば、同調点移動処理では、上隣接チャネルの妨害波の受信レベルと、下隣接チャネルの妨害波の受信レベルとを比較して、上隣接チャネルの妨害波の受信レベルが大きい場合には、下隣接チャネル側へ希望チャネルの同調点を移動させる一方、下隣接チャネルの妨害波の受信レベルが大きい場合には、上隣接チャネル側へ同調点を移動させることとしたので、隣接妨害波の高い側を効率的に抑圧することが可能となる。
【００３１】
また、本実施の形態によれば、希望波の受信ＣＮが第１閾値以上の場合に、希望波の受信レベルが第２閾値以上であるか否かを判断し、希望波の受信レベルが第２閾値以上である場合には、高周波増幅器２０のゲインを下げるＡＧＣ処理を実行し、ＡＧＣ処理後の希望波の受信ＣＮが第１閾値以上でない場合に、同調点移動処理を行うこととしたので、ＡＧＣ処理で抑圧できない大きさの隣接妨害波でも効果的に抑圧することが可能となる。
【００３２】
なお、本実施の形態では、高周波信号として地上波デジタルテレビジョン信号を受信する場合を例示したが、本発明はこれに限られるものではなく、アナログのテレビジョン信号や他の高周波信号を受信する場合においても本発明は適用可能である。また、本実施の形態では、雑音評価情報として受信ＣＮを使用することとしたが、本発明はこれに限られるものではなく、受信波の雑音を評価できる情報であれば他の情報（例えば、Ｓ／Ｎ等）を使用することにしても良い。
【産業上の利用可能性】
【００３３】
以上のように、本発明に係る高周波受信機および隣接妨害波の低減方法は、高周波信号から所望のチャネルの信号を選択する装置に広く適用可能である。
【図面の簡単な説明】
【００３４】
【図１】本発明の一実施例に係る高周波受信機の構成を示す図である。
【図２】図１の高周波受信機の隣接妨害波の低減方法を説明するためのフローチャートである。
【図３】隣接妨害波の抑圧を説明するための説明図である。
【図４】隣接妨害波の抑圧を説明するための説明図である。
【図５】隣接妨害波の抑圧を説明するための説明図である。
【図６】隣接妨害波の低減方法の従来技術を説明するための図である。
【符号の説明】
【００３５】
１  デジタルチューナ受信機
１０  アンテナ
２０  高周波増幅部
３０  トラッキングフィルタ
４０  周波数変換部
４１  局部発振部
４２  ミクサ部
５０  第１のＩＦ増幅部
６０  ＩＦフィルタ部
７０  第２のＩＦ増幅部
８０  デコーダー
９０  制御部
９１  マイクロプロセッサ
９２  記憶部
９３  Ａ／Ｄ変換部
９４、９５  Ｄ／Ａ変換部
【図１】
2006166367.tif 000003
【図２】
2006166367.tif 000004
【図３】
2006166367.tif 000005
【図４】
2006166367.tif 000006
【図５】
2006166367.tif 000007
【図６】
2006166367.tif 000008